(57)【要約】【課題】同調のＱを高くして前段及び後段とは粗結合によってＱの低下を防ぐと共に、結合手段によって妨害波を効果的に抑圧できるバンドパスフィルタを提供する。【解決手段】一端同士が接地されると共に互いに結合し、通過中心周波数に共振する第一及び第二の共振線路１、２と、第一の共振線路１の他端と入力端４との間に接続された第一の並列共振回路３と、第二の共振線路２の他端と出力端６との間に接続された第二の並列共振回路５とを備え、第一及び第二の並列共振回路３、５の共振周波数を通過中心周波数よりも低くして、前段の回路及び後段の回路に接続される際のＱの低下防止と妨害波の抑圧とを両立させた。【選択図】        図１
2004248121.tif 000002
【特許請求の範囲】
【請求項１】
一端同士が接地されると共に互いに結合し、通過中心周波数に共振する第一及び第二の共振線路と、前記第一の共振線路の他端と入力端との間に接続された第一の並列共振回路と、前記第二の共振線路の他端と出力端との間に接続された第二の並列共振回路とを備え、前記第一及び第二の並列共振回路の共振周波数を前記通過中心周波数よりも低くしたことを特徴とするバンドパスフィルタ。
【請求項２】
前記第一及び第二の共振線路の他端間に容量手段を接続し、前記第一及び第二の共振線路と前記容量手段とによる並列共振周波数を前記通過中心周波数よりも高くしたことを特徴とする請求項１に記載のバンドパスフィルタ。
【請求項３】
前記第一の並列共振回路の共振周波数と前記第二の並列共振回路の共振周波数とを互いに同一としたことを特徴とする請求項１又は２に記載のバンドパスフィルタ。
【発明の詳細な説明】
【０００１】
【発明の属する技術分野】
この発明は携帯電話機等に使用されるバンドパスフィルタに関する。
【０００２】
【従来の技術】
図５は、１例として携帯電話機に使用されるバンドパスフィルタを示し、入力端子１１、出力端子１２、コイルＬ１とコンデンサＣ４が並列接続された１次同調回路、コイルＬ２とコンデンサＣ５が並列接続された２次同調回路、コイルＬ３とコンデンサＣ６が並列接続された並列共振回路を備える。
【０００３】
１次同調回路は、コイルＬ１とコンデンサＣ４の接続点の一方が並列共振回路を介して入力端１１に接続され、他端が接地される。また、２次同調回路はコイルＬ２とコンデンサＣ５の接続点の一方が出力端１２に接続され、他端が接地される。この１次同調回路と２次同調回路は、１次同調回路のコイルＬ１と２次同調回路のコイルＬ２とが互いに電磁的に結合することによって複同調回路が形成される。
【０００４】
そして、複同調回路は例えば受信周波数に同調するように調整されて入力端１１がデュプレクサ（図示せず）側に接続され、出力端１２はミキサ回路（図示せず）に接続される。また、コイルＬ３とコンデンサＣ６とからなる並列共振回路は送信周波数となるように調整される（例えば特許文献１参照。）。
【０００５】
【特許文献１】
特開平１０−０５１２５８号公報（図２）
【０００６】
【発明が解決しようとする課題】
上記構成のフィルタではコイルとコンデンサとからなる複同調回路を使用し、並列共振回路と組み合わせることで不要信号を減衰するようにしているが、コイル及びコンデンサの使用により同調のＱが低いので前段および後段に回路を接続するとＱが一層低くなるという問題があり、そのため、並列共振回路のコイルも大きくなる欠点を有する。
【０００７】
本発明は、同調のＱを高くして前段及び後段とは粗結合によってＱの低下を防ぐと共に、結合手段によって妨害波を効果的に抑圧できるバンドパスフィルタを提供することを目的とする。
【０００８】
【課題を解決するための手段】
上記課題の解決のため、本発明のバンドパスフィルタは、一端同士が接地されると共に互いに結合し、通過中心周波数に共振する第一及び第二の共振線路と、前記第一の共振線路の他端と入力端との間に接続された第一の並列共振回路と、前記第二の共振線路の他端と出力端との間に接続された第二の並列共振回路とを備え、前記第一及び第二の並列共振回路の共振周波数を前記通過中心周波数よりも低くした。
【０００９】
また、前記第一及び第二の共振線路の他端間に容量手段を接続し、前記第一及び第二の共振線路と前記容量手段とによる並列共振周波数を前記通過中心周波数よりも高くした。
【００１０】
また、前記第一の並列共振回路の共振周波数と前記第二の並列共振回路の共振周波数とを互いに同一とした。
【００１１】
【発明の実施の形態】
本発明のバンドパスフィルタの構成を図１に示す。互いに結合するように配置された第一及び第二の共振線路１、２は一端が接地される。第一の共振線路１の他端は第一の並列共振回路３を介して入力端４に結合し、第二の共振線路２の他端は第二の並列共振回路５を介して出力端６に結合される。また、第一及び第二の共振線路１、２の他端間には容量手段７が接続される。そして入力端子４には前段の回路、出力端子６には後段の回路（いずれも図示せず）が接続される。
【００１２】
以上の構成において、第一及び第二の共振線路１、２は通過中心周波数Ｆ０に対して１／４波長（波長短縮含む）の長さを有し、例えば回路基板（図示せず）上に形成されたストリップ導体等によって構成される。よって、第一及び第二の共振線路１、２はそれぞれが等価的に並列同調回路を形成し、互いに電磁結合されることから、二つの共振線路１、２によって極めてＱの高い複同調回路を構成する。また、第一及び第二の並列共振回路３、５はその共振周波数が通過中心周波数Ｆ０よりも若干低く互いに同じ周波数ＦＬとなるように設定される。よって、通過中心周波数Ｆ０の近傍においては二つの並列共振回路１、２は等価的に容量性となり、そのリアクタンスが極めて大きくなる。
【００１３】
また、共振線路１、２を等価的な集中定数回路に置き換えると、それらの間に接続された容量手段７を含めた等価回路（二つの並列共振回路３、５を除いている）は図２のようになり、さらに、これを変形すると図３のようになる。よって、変型された等価的なインダクタンス手段Ｌと容量手段７とによって並列共振回路８が形成される。この共振回路８の共振周波数ＦＨは容量手段７の定数設定によって、通過中心周波数Ｆ０よりも若干高い方に設定される。
【００１４】
以上のことから、このバンドパスフィルタは二つの並列共振回路３、５によって前段の回路及び後段の回路に対して粗結合される。よって、前段の回路の出力インピーダンス及び後段の回路の入力インピーダンスが低くてもＱが低下しない。また、二つの並列共振回路３、５は通過中心周波数Ｆ０よりも低い周波数を減衰するトラップ回路として機能するので、その共振周波数の設定によって妨害信号を抑圧できる。
【００１５】
さらに、容量手段７によって形成される並列共振回路８も通過中心周波数Ｆ０よりも高い周波数を減衰するトラップ回路として機能するので、その共振周波数の設定によって妨害信号を抑圧できる。また、各並列共振回路３、５、８の共振周波数を変えることで通過帯域幅の調整も可能である。
【００１６】
また、本発明では、通過帯域の上下で各並列共振回路３、５、８によってトラップするので、図４に示すようにスカート特性が急峻となる。よって、優れた選択度特性が得られ隣接するチャンネル信号の除去能力に優れたものとなる。
【００１７】
【発明の効果】
以上説明したように、本発明のバンドパスフィルタは、一端同士が接地されると共に互いに結合し、通過中心周波数に共振する第一及び第二の共振線路と、第一の共振線路の他端と入力端との間に接続された第一の並列共振回路と、第二の共振線路の他端と出力端との間に接続された第二の並列共振回路とを備え、第一及び第二の並列共振回路の共振周波数を通過中心周波数よりも低くしたので、二つの共振線路によってＱの高い複同調回路が構成できると共に、前段の回路と後段の回路とは容量性で粗結合される。よって前段の回路の出力インピーダンスと後段の回路の入力インピーダンスが低くてもＱの低下が無く、さらに、並列共振回路によって通過中心周波数よりも低い方の妨害信号を抑圧できる。
【００１８】
また、第一及び第二の共振線路の他端間に容量手段を接続し、第一及び第二の共振線路と容量手段とによる並列共振周波数を通過中心周波数よりも高くしたので、通過中心周波数よりも高い方の妨害信号を抑圧できる。さらに、並列共振回路と容量手段とによって通過帯域幅の調整もできる。
【００１９】
また、第一の並列共振回路の共振周波数と第二の並列共振回路の共振周波数とを互いに同一としたので、大きな抑圧効果が期待できる。
【図面の簡単な説明】
【図１】本発明のバンドパスフィルタの構成を示す回路図である。
【図２】本発明のバンドパスフィルタの等価回路図である。
【図３】本発明のバンドパスフィルタの等価回路図である。
【図４】本発明のバンドパスフィルタの伝送特性図である。
【図５】従来のバンドパスフィルタの構成を示す回路図である。
【符号の説明】
１  第一の共振線路
２  第二の共振線路
３  第一の並列共振回路
４  入力端
５  第二の並列共振回路
６  出力端
７  容量手段
８  並列共振回路
【図１】
2004248121.tif 000003
【図２】
2004248121.tif 000004
【図３】
2004248121.tif 000005
【図４】
2004248121.tif 000006
【図５】
2004248121.tif 000007